(57)【要約】【課題】組立性を損うことなく、防水、防塵機能を強化したドライブユニット付きのレンズ装置を得る。【解決手段】ギア連結を妨げないようにドライブユニットの筐体４に第１の窓孔４ａを設け、ズームリング６の内部ギア６ｂの全周を覆う固定部材１９の一部に第２の窓孔１９ａを設け、筐体４と固定部材１９との間の窓孔４ａ、１９ａを含む空間を弾性体から成る密封部材２０により囲み、外部からのドライブユニット内への異物の侵入を防止する。【選択図】図２
2009025515.tif 000002
【特許請求の範囲】
【請求項１】
光学手段を操作するための操作リングと、該操作リングをギア連結によって電動操作する電動操作手段とを有するレンズ装置において、前記電動操作手段の筐体に設け前記ギア連結を妨げない第１の窓孔と、前記操作リングのギア部の少なくとも一部を囲う固定部材と、該固定部材に設け前記ギア連結を妨げない第２の窓孔と、前記第１の窓孔又は前記第２の窓孔の囲りを取り囲み、前記電動操作手段と前記固定部材との間に介在して前記第１、第２の窓孔を含む空間を密封する密封部材とを有することを特徴とするレンズ装置。
【請求項２】
前記密封部材は前記筐体又は前記固定部材に取り付けたことを特徴とする請求項１に記載のレンズ装置。
【請求項３】
前記密封部材は弾性体から成ることを特徴とする請求項１に記載のレンズ装置。
【請求項４】
前記密封部材は蛇腹部材としたことを特徴とする請求項３に記載のレンズ装置。
【請求項５】
光学手段を操作するための操作リングと、該操作リングをギア連結によって電動操作する電動操作手段とを有するレンズ装置において、前記電動操作手段の筐体に設け前記ギア連結を妨げない第１の窓孔と、前記操作リングのギア部の少なくとも一部を囲う固定部材と、該固定部材に設け前記ギア連結を妨げない第２の窓孔と、前記電動操作手段の筐体又は前記固定部材に設け前記第１、第２の窓孔を含む空間を取り囲む周壁とを有することを特徴とするレンズ装置。
【発明の詳細な説明】
【技術分野】
【０００１】
本発明は、テレビ放送局等で用いられるレンズ装置に関するものである。
【背景技術】
【０００２】
従来のテレビ放送用レンズ装置は、ズームレンズ等を電動で操作するためのドライブユニットを備えている。また、レンズ装置に設けられているフォーカスレンズ、ズームレンズ、絞りを駆動するための操作リングの外周上には、滑り止めを兼ねたギア加工が施されている。操作リングのギア機構は、ドライブユニット内に配されたギア連結、電磁クラッチを介して、同様にドライブユニット内に配されているモータ等のアクチュエータに連結されている。電動モード時に、撮影者の操作情報は制御回路に送出され、制御回路はその操作情報に応じた指令信号をアクチュエータに送出し、同時に電磁クラッチの連結が行われる。
【０００３】
アクチュエータは制御回路からの指令信号を受け取り、撮影者が所望する撮影条件になるように、ズームレンズの操作リングを電磁クラッチ、ギア連結を介して駆動する。なお、特許文献１にはアクチュエータとギア連結との間に、電磁クラッチを介した例が示されているが、電磁クラッチを廃し、アクチュエータとギア連結のみの構成のものも実施されている。また、特許文献１には記述されていないが、各操作リングのギア機構はドライブユニットのギア連結との連結のためのみならず、フレキコントローラ等の外付けの操作アクセサリとの連結にも兼用されている。
【０００４】
前述のような駆動を行う場合に、ドライブユニットとレンズ本体とをギア連結するため、ドライブユニットの本体部の一部に窓孔を設けて、ギア連結の最終ギアを外部に落出する必要がある。その結果、最終ギアの周辺には若干の隙間が生ずることになり、そこから水滴や微小な塵埃等の異物が外部からドライブユニット内に侵入する可能性がある。そして、この侵入物がギア連結の中に入り込んで、詰まりを生じて駆動の妨げになったり、或いは制御回路に付着して回路が短絡してしまうという問題がある。
【０００５】
また、このような諸問題を解決するために、特許文献２には防水、防塵機能を強化したドライブユニットが提案されている。
【０００６】
【特許文献１】特開２００２−１５５９６８号公報
【特許文献２】特開昭６２−７１９１４号公報
【発明の開示】
【発明が解決しようとする課題】
【０００７】
しかし特許文献２の構成は、レンズ本体に連結されるギア連結の最終ギアを、完全にドライブユニットのケースの外側に設ける構成であるため、組立時に最終ギアがケースにより隠れる状態となる。そのため、組立後の最終ギア部のバックラッシュ量を確認し難いという問題がある。
【０００８】
また、最終ギアを支持する軸がケースに回動自在に固定されているため、ケース全体を動かして最終ギア部のバックラッシュ量を調整しなくてはならず、組立時の作業性が悪いという問題がある。
【０００９】
本発明の目的は、上述の問題点を解消し、組付性を損うことなく防水、防塵機能を強化したドライブユニット付きのレンズ装置を提供することにある。
【課題を解決するための手段】
【００１０】
上記目的を達成するための本発明に係るレンズ装置の技術的特徴は、光学手段を操作するための操作リングと、該操作リングをギア連結によって電動操作する電動操作手段とを有するレンズ装置において、前記電動操作手段の筐体に設け前記ギア連結を妨げない第１の窓孔と、前記操作リングのギア部の少なくとも一部を囲う固定部材と、該固定部材に設け前記ギア連結を妨げない第２の窓孔と、前記第１の窓孔又は前記第２の窓孔の囲りを取り囲み、前記電動操作手段と前記固定部材との間に介在して前記第１、第２の窓孔を含む空間を密封する密封部材とを有することにある。
【００１１】
また、本発明に係るレンズ装置の技術的特徴は、光学手段を操作するための操作リングと、該操作リングをギア連結によって電動操作する電動操作手段とを有するレンズ装置において、前記電動操作手段の筐体に設け前記ギア連結を妨げない第１の窓孔と、前記操作リングのギア部の少なくとも一部を囲う固定部材と、該固定部材に設け前記ギア連結を妨げない第２の窓孔と、前記電動操作手段の筐体又は前記固定部材に設け前記第１、第２の窓孔を含む空間を取り囲む周壁とを有することにある。
【発明の効果】
【００１２】
本発明に係るレンズ装置によれば、電動操作手段の組付性を損うことなく、ドライブユニットの防水、防塵機能が向上する。
【発明を実施するための最良の形態】
【００１３】
本発明を図示の実施例に基づいて詳細に説明する。
【実施例１】
【００１４】
図１は実施例１の構成図、図２は要部断面図である。光学手段を備えたレンズ本体１はテレビカメラ２に取り付けられ、レンズ本体１には電動操作手段として機能するドライブユニット３が金属又はプラスチック等の筐体４に囲まれて取り付けられている。またレンズ本体１には、撮影者がフォーカスレンズ群を操作するためのフォーカスリング５、ズームレンズ群を操作するためのズームリング６、絞りを操作するための絞りリング７がそれぞれ回動自在に設けられている。
【００１５】
そして、各リング５、６、７には、その表面に設けた外部ギア５ａ、６ａ、７ａによりフォーカスレンズ群、ズームレンズ群、絞りを操作するようになっている。更にレンズ本体１には、必要に応じて外付けの駆動アクセサリ８が取り付けられ、外部ギア６ａと噛合するようにされている。
【００１６】
ドライブユニット３に内蔵された制御回路１１の出力は、モータから成るズームレンズ群駆動用のアクチュエータ１２に接続され、アクチュエータ１２の駆動軸にはギア１３が軸支されている。ドライブユニット３の筐体４には、ギア１３の回転を妨げないように第１の窓孔４ａが設けられている。ギア１３はこの第１の窓孔４ａを介して、ズームリング６に設けられた内部ギア６ｂと噛合し、アクチュエータ１２の回転運動はズームリング６に伝達されるようになっている。
【００１７】
レンズ本体１において、ズームレンズ群１４を保持している保持鏡筒１５の棒状の突起部１５ａは、カム環１６に設けられている曲線カム１６ａを介し、カム環１６の外側の保持筒１７に設けられている光軸方向の直線溝１７ａに嵌合している。カム環１６は連結部材１８によって、レンズ本体１のズームリング６と連結されており、ズームリング６の回転操作力がカム環１６に伝達されるようになっている。保持鏡筒１５には、カム環１６と同期して回転する力が作用するが、突起部１５ａに対し直線溝１７ａにより回転方向の規制がなされているため、結果として曲線カム１６ａの軌跡に従って光軸方向に移動することとなる。
【００１８】
保持筒１７には、金属又はプラスチック等の剛性体で製作された例えば筒形の固定部材１９が取り付けられている。この固定部材１９はズームリング６の回転を妨げないように一定の隙間を保ちながら内部ギア６ｂの円周方向の全周を覆うと共に、内部ギア６ｂとギア１３の連結を妨げないように、固定部材１９の一部に第２の窓孔１９ａが設けられている。更に、第１の窓孔４ａ、第２の窓孔１９ａを含む空間を外部と隔絶して取り囲むように、撥水性のゴム、スポンジ、吸水性のゴム、スポンジ、或いは微多孔性フィルム等の弾性体から成る筒形の密封部材２０が配置されている。この密封部材２０はドライブユニット３の筐体４に例えば接着材等を用いて取り付けられている。
【００１９】
図３は図２の矢印Ａ側から見た第１の窓孔４ａの正面図、図４は矢印Ｂ側から見た第２の窓孔１９ａの正面図である。第１の窓孔４ａの囲りの筐体４には、全周に凹部４ｂが設けられており、密封部材２０の取付位置が容易に定まるようになっている。
【００２０】
なお、凹部４ｂを全周に設ける代りに、図５に示すように密封部材２０よりも一回り大きい凸条部４ｃを第１の窓孔４ａの全周に設けて、その内側に密封部材２０を落とし込むようにしても同様の効果が得られる。
【００２１】
密封部材２０の取付方法は、前述した接着によるものの他に、筐体４に直接ビス止めしてもよいし、焼き付け等で筐体４と一体成型をしてもよい。或いは図６に示すように、密封部材２０に少なくとも１個所の突起部２０ａと、筐体４にこの突起部２０ａに対応する孔４ｄを設け、突起部２０ａを孔４ｄに嵌め込むことによって、密封部材２０を筐体４に取り付けてもよい。その際に、両者の嵌合を圧入設定にすると、突起部２０ａを密封部材２０の抜け止めとすることが可能となり、突起部２０ａの先端を球形状等の抜け止め形状を設けることで、密封部材２０の取付強度は更に向上する。なお、密封部材２０はドライブユニット３側に取り付けるのではなく、前述と同様の方法で固定部材１９側に取り付けてもよい。
【００２２】
制御回路１１からの指令信号によりアクチュエータ１２が回転すると、その回転はギア１３、内部ギア６ｂ、ズームリング６、連結部材１８を介してカム環１６に伝達される。これにより、ズームレンズ群１４を保持する保持鏡筒１５は、突起部１５ａを介して曲線カム１６ａの軌跡に沿って前後に移動する。従来例においては、アクチュエータ１２とズームリング６との間に電磁クラッチを介在して回転を伝達しているが、製品の機能上不要の場合もあり、本実施例では電磁クラッチは省略している。
【００２３】
そして、ドライブユニット３をレンズ本体１に取り付けたときに、密封部材２０が適宜に押し潰されることによって、密封部材２０の囲りの密閉性が向上する。これにより、第１の窓孔４ａを通じて水滴や塵埃等の異物が、外部からドライブユニット３内に侵入することが防止される。
【００２４】
なお本実施例では、固定部材１９は内部ギア６ｂの全周を覆っている状態となっているが、第２の窓孔１９ａとその周辺部のみの構成で密封部材２０の取り付け及び固定が達成できれば、全周を覆う必要はない。
【００２５】
ズームリング６に設けられた従来からの外部ギア６ａは、実施例１では不要であるが、図１に示すように従来と同様に外付けの駆動アクセサリ８等を取り付けて遠隔操作する場合も考えられるので、省略しないことが好ましい。また、外部ギア６ａ、内部ギア６ｂは必ずしも別個に設けるのではなく、一体化して１種類のギアとすることも可能である。その場合に、図７に示すように一体化した１種類の外部ギア６ｃを、固定部材１９により少なくとも一部を被うことで同様の効果を得ることができる。
【００２６】
図８はフォーカスリング５、絞りリング７についても、ズームリング６と同様にドライブユニット３による駆動を適用した構成図を示し、これらについても第１、第２の窓孔が設けられ、密封部材が用いられている。
【００２７】
この場合の密封部材による防水、防塵対策により、ズームリング６の駆動に関してのみでなく、フォーカスリング５や絞りリング７等のドライブユニット３によるギア駆動においても同様の効果が得られる。
【実施例２】
【００２８】
図９は実施例２の要部断面図を示し、ギア連結機構等は実施例１と同様である。ドライブユニット３には、外部からの水滴、塵埃の侵入を防ぐための密封部材として機能する蛇腹部材２１が取り付けられており、この蛇腹部材２１は伸縮自在とされている。そして、ドライブユニット３がレンズ本体１に取り付いたときに、適宜に蛇腹部材２１が伸縮方向に押し潰されることによって密閉性が向上し、第１の窓孔４ａを通じて水滴や塵埃等が外部からドライブユニット３内に侵入することを防止している。また、蛇腹部材２１はドライブユニット３をレンズ本体１に取り付けた際の取付精度のばらつきを、蛇腹の伸縮により吸収することが可能となる。蛇腹部材２１の取り付けは、実施例１の密封部材２０と同様に行うことができる。
【実施例３】
【００２９】
図１０は実施例３の要部断面図を示している。ズームリング６により内部のズームレンズ群１４を駆動する方式については、実施例１と同様である。密封部材を用いることなく、第１の窓孔４ａの囲りには、筐体４と一体に構成された周壁４ｅが第１の窓孔４ａを囲むように設けられている。また、周壁４ｅは第２の窓孔１９ａをも囲むようにされ、周壁４ｅの固定部材１９に対するクリアランスは小さくされている。
【００３０】
このような構成から、周壁４ｅと固定部材１９との間のクリアランスをできる限り最小の設定にすることにより、外部からの水滴や塵埃等がドライブユニット３の内部に侵入する度合いを軽減することができる。
【００３１】
また、周壁４ｅはドライブユニット３側ではなく、固定部材１９側に設けてもよい。また、周壁４ｅは筐体４又は固定部材１９に一体に設けずに、独立した単独の剛体から成る別部品として構成することもできる。その場合も、前述と同様に筐体４に取り付けても、固定部材１９に取り付けてもよい。また、固定方法も実施例１と同様に、接着、ビス止め、一体成型、突起部を設けた嵌め合い等の何れの方法でもよい。
【００３２】
以上の説明では、本発明の好ましい実施例について述べたが、本発明はこれらの実施例に限定されないことは云うまでもなく、その要旨の範囲内で、種々の変形及び変更が可能である。
【図面の簡単な説明】
【００３３】
【図１】実施例１の構成図である。
【図２】要部断面図である。
【図３】図２のＡ方向から見た第１の窓孔の正面図である。
【図４】図２のＢ方向から見た第２の窓孔の正面図である。
【図５】変形例の要部断面図である。
【図６】変形例の要部断面図である。
【図７】変形例の要部断面図である。
【図８】フォーカスリング、絞りリングにもドライブユニットを付加した構成図である。
【図９】実施例２の要部断面図である。
【図１０】実施例３の要部断面図である。
【符号の説明】
【００３４】
１  レンズ本体
２  テレビカメラ
３  ドライブユニット
４  筐体
４ａ、１９ａ  窓孔
４ｂ  凹部
４ｃ  凸条部
４ｄ  孔
４ｅ  周壁
５  フォーカスリング
５ａ、６ａ、６ｃ、７ａ  外部ギア
６  ズームリング
６ｂ  内部ギア
７  絞りリング
１１  制御回路
１２  アクチュエータ
１３  ギア
１４  ズームレンズ群
１５  保持鏡筒
１５ａ  突起部
１６  カム環
１７  保持筒
１８  連結部材
１９  固定部材
２０  密封部材
２１  蛇腹部材
【図１】
2009025515.tif 000003
【図２】
2009025515.tif 000004
【図３】
2009025515.tif 000005
【図４】
2009025515.tif 000006
【図５】
2009025515.tif 000007
【図６】
2009025515.tif 000008
【図７】
2009025515.tif 000009
【図８】
2009025515.tif 000010
【図９】
2009025515.tif 000011
【図１０】
2009025515.tif 000012